(57)【要約】      （修正有）【課題】使用者の必要に応じて、その一部をリュックとし他の一部をスーツケースとして別々に使用することができ、且つそのリュックとしてのものをスーツケースと共に引き摺ることができ、またはそのスーツケースとしてのものをリュックと共に背負うことができる旅行用収納具を提供する。【解決手段】キャスター１３と引手１４とが付設してあるスーツケース１と、前記スーツケースの外表面に取外し自在に装着されたリュック２とを備えてなる旅行用収納具を構成する。【選択図】図１
0003117544.tif 000002
【実用新案登録請求の範囲】
【請求項１】
キャスターと引手とが付設してあるスーツケースと、前記スーツケースの外表面に取外し自在に装着されたリュックとを備えていることを特徴とする旅行用収納具。
【請求項２】
キャスターと引手とが付設してあるスーツケースと、前記スーツケースの正面に取外し自在に装着されたリュックとを備え、前記キャスターは、前記スーツケースの背面の下端縁近くに付設され、前記引手は、前記スーツケースの一側に付設され、上へ引き出した状態で前記引手を前方へ引きながら前記キャスターにより地面を走行させることができるように構成されていることを特徴とする旅行用収納具。
【請求項３】
前記スーツケースと前記リュックとは、前記スーツケースの正面に形成されている複数の係止孔と、前記リュックの正背面のいずれかに前記複数の係止孔に対応して設置されている複数の止めピンとの一対一の取外し可能な係合によって装着されていることを特徴とする請求項２に記載の旅行用収納具。
【請求項４】
前記複数の止めピンは、前記リュックの背面から突出した直棒と、該直棒の先端に径方向に張出した止め板からなり、
前記複数の係止孔は、前記スーツケースの正面に、周辺側から中央側に向けて斜めに延在し、且つ、周辺側の表層部と内部および中央側の内部は前記止め板を出入りさせられるように幅広に形成され、中央側の表層部は前記直棒だけを出入りさせられるように幅狭に形成されており、
前記止めピンを前記係止孔の周辺側に入れ中央側に引き込んで係止して、前記止めピンを前記係止位置に保持でき、且つ、前記係止孔の周辺側へ引き出して取外せるように構成されていることを特徴とする請求項３に記載の旅行用収納具。
【請求項５】
前記リュックの背面の上端近くに、開口が左右に延在しているポケットが形成してあり、前記ポケット内の前記開口近くに左右一対の背負い紐が突出可能に設けてあり、前記背面の下端近くに、前記一対の背負い紐の自由端を連結するための一対のリングが設けてあることを特徴とする請求項４に記載の旅行用収納具。
【考案の詳細な説明】
【技術分野】
【０００１】
本考案は、旅行用収納具に関し、特にその一部をリュックとして他の一部をスーツケースとして別々に使用することができる旅行用収納具に関する。
【背景技術】
【０００２】
従来から、国内旅行や海外旅行をする時に、衣服や日常品、小物類などの荷物を持ち運ぶため、キャスターと引手が付設してあるスーツケースを使用する他に、財布や本、カメラなど携行品を収納するためのバッグやリュックを使用する。即ち、リュックを背負いながらスーツケースを引き摺るというのが一般的である。しかし、リュックが重過ぎる場合に、リュックも引き摺ることができれば良いと思う時があり、また、飛行機に乗る時荷物をチェックインする場合に、リュックとスーツケースとが互いに分離しないように一緒にしておくことができれば良いと思う時がある。また、スーツケースが小型のものである場合には、スーツケースをリュックと共に背負うことができれば良いと思う時がある。
【考案の開示】
【考案が解決しようとする課題】
【０００３】
前記に鑑みで、本考案は、使用者の必要に応じて、その一部をリュックとして他の一部をスーツケースとして別々に使用することができる旅行用収納具を提供することを目的とする。
【０００４】
また、前記に加えて、そのリュックとしてのものをスーツケースと共に引き摺ることができ、及び／またはそのスーツケースとしてのものをリュックと共に背負うことができる旅行用収納具を提供することを更なる目的とする。
【課題を解決するための手段】
【０００５】
前記目的を達成するために、本考案の旅行用収納具は、キャスターと引手とが付設してあるスーツケースと、前記スーツケースの外表面に取外し自在に装着されたリュックとを備えている。
【０００６】
更に詳しくは、キャスターと引手とが付設してあるスーツケースと、前記スーツケースの正面に取外し自在に装着されたリュックとを備え、前記キャスターは、前記スーツケースの背面の下端縁近くに付設され、前記引手は、前記スーツケースの一側に付設され、上へ引き出した状態で前記引手を前方へ引きながら前記キャスターにより地面を走行させることができる実施形態であれば、前記リュックを前記スーツケースと共に引いて移動することができる態様も、前記スーツケースを前記リュックと共に背負うことができる態様も可能である。
前者の態様である場合、前記スーツケースと前記リュックとの装着は、前記スーツケースの正面に形成されている複数の係止孔と、前記リュックの正背面のいずれかに前記複数の係止孔に対応して設置されている複数の止めピンと、一対一の取外し可能な係合からなれば良いが、後者の態様である場合、前記複数の止めピンが前記リュックの正面に設置されていて前記リュックが前記スーツケースに装着された場合、その背面にある背負い紐が外に突出するものに限る。
【考案の効果】
【０００７】
前記構成による旅行用収納具は、キャスターと引手とが付設してあるスーツケースと、前記スーツケースの外表面に取外し自在に装着されたリュックとを備えているので、その一部をリュックとし他の一部をスーツケースとして別々に使用することができ、且つそのリュックとしてのものをスーツケースと共に引き摺ることができ、また、そのスーツケースとしてのものをリュックと共に背負うことができ、使用に非常に便利である。
【考案を実施するための最良の形態】
【０００８】
以下、図面を参照しながら本考案の旅行用収納具の構造を詳細に説明する。
【０００９】
本考案の旅行用収納具としては、図１に示すように、スーツケース１の背面１２の下端縁近くにキャスター１３が付設され、スーツケース１の一側に付設された引手１４を上へ引き出した状態で引手１４を前方へ引きながらキャスター１３により地面を走行させることができるスーツケース１と、スーツケース１の正面１１に取外し自在に装着されたリュック２とを備えてなるものである。尚、階段を上り下りする場合を考慮して、この実施例ではスーツケース１の側面に取っ手１５が取り付けられている。
【００１０】
また、この実施例では、図２に示すように、スーツケースの正面１１に複数の係止孔１６が形成されており、リュック２の背面２１２に複数の止めピン２５が、前記複数の係止孔１６と対応するように設置されている。また、図３に示すように、複数の係止孔１６と複数の止めピン２５とは一対一で互いに取外し可能に係合している。この実施例では、係止孔１６も止めピン２５もそれぞれ４個あり、係止孔１６はスーツケース１の正面１１の四隅近くに形成されており、止めピン２５はリュック本体２の四隅近くから突出したラグ２０の背面（リュック２の背面２１２に対応）に設置されているが、この限りではない。場合に応じて、例えば、リュック本体２の形状により、係合孔１６及び止めピン２５の個数はそれぞれ４個以外の、３個または５個などであっても良く、その設置位置もそれに伴い変更しても良い。
【００１１】
そして、図４において、複数の止めピン２５は、いずれも、リュックの背面２１２（より具体的に言えば、「背面２１２に対応するラグ２０の背面」）から突出した直棒２５１と、該直棒２５１の先端に径方向に張出した止め板２５２とからなる。また、複数の係止孔１６は、いずれも、スーツケースの正面１１に、周辺側から中央側または略中心に向けて斜めに延在し、且つ、周辺側の表層部と内部および中央側の内部は止め板２５２を出入りさせられるよう幅広に形成され、中央側の表層部は直棒２５１だけを出入りさせられるように幅狭に形成されており、各止めピン２５を対応する係止孔１６の周辺側に入れてから中央側に引き込み、係止孔１６の中央側（幅が狭い側）で係止できるようになっている。これにより、各止めピン２５を前記係止位置に保持させることができ、且つ、その状態から前記係止孔１６の周辺側へ引き出して取外すことができるので、一部をリュック２とし他の一部をスーツケース１として別々に使用することもできる。
【００１２】
また、リュック２の背面２１２には、図５に示すように、背面２１２の上端近くに開口２２が左右方向に延在しているポケット２１が形成してあり、該ポケット２１内部の開口２２の近くには、左右一対の背負い紐２４が外部に引き出せるように設けてある。また、該背面２１２の下端近くには、前記一対の背負い紐２４の自由端と連結するための一対のリング２３が設置してあり、これにより、前記リュック２を前記スーツケース１から取外した場合に、前記左右一対の背負い紐２４の自由端と前記一対のリング２３とを連結して前記リュック２を背負うことができ、かつ、前記リュック２を前記スーツケース１に装着する場合に、前記左右一対の背負い紐２４全体を前記ポケット２１内に収納することができる。
【００１３】
尚、実施例の旅行用収納具は、上記のように、リュック２を前記スーツケース１に装着し、それと共に引いて移動することができるが、止めピン２５が背負い紐２４と共にリュック２の背面２１２に設置されているので、リュック２がスーツケース１に装着されると、背負い紐２４が隠れて利用できなくなり、即ち、スーツケース１をリュック２と共に背負うことができない。この理由で、特に、スーツケース１が小型のものである場合、止めピン２５を、リュック２の背負い紐２４を有する面の反対面である正面２１１に設置し背負えるようにしても良い。
【００１４】
以上に記述したのは、本考案の好適な実施例の一つであって、本考案を限定するものではなく、本考案の請求の範囲及び明細書の記載に基づきそれに簡単な変更や修飾をしたものも本考案の範囲に属する。
【産業上の利用可能性】
【００１５】
本考案による旅行用収納具は、その一部をリュックとし他の一部をスーツケースとして別々に使用することができる。また、そのリュックとしてのものをスーツケースと共に引き摺ることができる上、場合によりそのスーツケースとしてのものをリュックと共に背負うことができるように形成されているので、産業上の利用可能性が極めて大である。
【図面の簡単な説明】
【００１６】
【図１】本考案の好適な実施例の旅行用収納具の斜視図。
【図２】前記実施例の分解状態の拡大斜視図。
【図３】図１における３−３断面図。
【図４】スーツケースとリュックとの装着部分を示す一部拡大図。
【図５】前記実施例のリュックの拡大斜視図。
【符号の説明】
【００１７】
１  スーツケース
１１  正面
１２  背面
１３  キャスター
１４  引手
１５  取っ手
１６  係止孔
２  リュック
２０  ラグ
２１  ポケット
２１１  正面
２１２  背面
２２  開口
２３  リング
２４  背負い紐
２５  止めピン
２５１  直棒
２５２  止め板
【図１】
0003117544.tif 000003
【図２】
0003117544.tif 000004
【図３】
0003117544.tif 000005
【図４】
0003117544.tif 000006
【図５】
0003117544.tif 000007